(57)【要約】【課題】特別な機能は実装されていない交換カバーをエンドユーザが簡易にデータ処理装置に装着することで、データ処理装置の機能を変化させるようなことができる構造のカバー交換システムを提供する。【解決手段】携帯電話端末１００の本体ハウジングに交換カバー２００が装着されると、その交換カバー２００の種類記録部２２０から種類読出部１３０によりカバーＩＤが読み出される。そのカバーＩＤに対応した機能データがデータ読出部によりメモリ１２０から読み出され、その機能データにより動作実行部で所定動作が実行される。つまり、携帯電話端末１００に装着されている交換カバー２００が交換されると、その交換カバー２００の種類に対応して携帯電話端末１００で所定動作が実行される。このため、例えば、特別な機能は実装されていない交換カバー２００をエンドユーザが携帯電話端末１００に装着することで、携帯電話端末１００の機能を変化させるようなことができる。【選択図】図１
2008005301.tif 000002
【特許請求の範囲】
【請求項１】
データ処理装置と、前記データ処理装置に交換自在に装着される複数種類の交換カバーと、を有するカバー交換システムであって、
前記交換カバーは、カバーパネルと、前記カバーパネルに搭載されていて前記種類ごとのカバーＩＤ(Identity)が記録されている種類記録部と、を有し、
前記データ処理装置は、前記交換カバーが着脱自在に装着される本体ハウジングと、前記本体ハウジングに内蔵されていて複数の前記カバーＩＤごとに機能データを記憶しているデータ記憶部と、前記本体ハウジングに装着された前記交換カバーの種類記録部から前記カバーＩＤを読み出す種類読出部と、前記本体ハウジングに搭載されていて読み出された前記カバーＩＤに対応した前記機能データを読み出すデータ読出部と、前記本体ハウジングに搭載されていて読み出された前記機能データで所定動作を実行する動作実行部と、を有するカバー交換システム。
【請求項２】
前記機能データが画像データからなり、
前記動作実行部は、読み出された前記画像データを表示出力する請求項１に記載のカバー交換システム。
【請求項３】
前記機能データが音声データからなり、
前記動作実行部は、読み出された前記音声データを音声出力する請求項１に記載のカバー交換システム。
【請求項４】
前記交換カバーの種類記録部は、前記カバーＩＤごとに極性の方向の組み合わせが相違する複数のマグネットからなり、
前記データ処理装置の種類読出部は、前記交換カバーの複数の前記マグネットの極性の方向を個々に検知する複数の磁気センサを有する請求項１ないし３の何れか一項に記載のカバー交換システム。
【請求項５】
前記交換カバーと同様に前記本体ハウジングに装着されるダミーカバーを、さらに有し、
前記ダミーカバーは、前記カバーパネルと、前記カバーパネルに搭載されていて前記カバーＩＤが記録されていないダミー記録部と、を有する請求項１ないし４の何れか一項に記載のカバー交換システム。
【請求項６】
前記種類記録部と前記ダミー記録部との重量が同等である請求項５に記載のカバー交換システム。
【請求項７】
前記種類記録部と前記ダミー記録部との外形が同等である請求項５または６に記載のカバー交換システム。
【請求項８】
請求項１に記載のカバー交換システムのデータ処理装置であって、
前記データ処理装置は、前記交換カバーが着脱自在に装着される本体ハウジングと、
前記本体ハウジングに内蔵されていて複数の前記カバーＩＤごとに機能データを記憶しているデータ記憶部と、
前記本体ハウジングに装着された前記交換カバーの種類記録部から前記カバーＩＤを読み出す種類読出部と、
前記本体ハウジングに搭載されていて読み出された前記カバーＩＤに対応した前記機能データを読み出すデータ読出部と、
前記本体ハウジングに搭載されていて読み出された前記機能データで所定動作を実行する動作実行部と、
を有するデータ処理装置。
【請求項９】
請求項１に記載のカバー交換システムの交換カバーであって、
カバーパネルと、
前記カバーパネルに搭載されていて前記種類ごとのカバーＩＤが記録されている種類記録部と、
を有する交換カバー。
【請求項１０】
請求項５に記載のカバー交換システムのダミーカバーであって、
前記カバーパネルと、
前記カバーパネルに搭載されていて前記カバーＩＤが記録されていないダミー記録部と、
を有するダミーカバー。
【発明の詳細な説明】
【技術分野】
【０００１】
本発明は、複数種類の交換カバーをデータ処理装置に交換自在に装着することができる構造のカバー交換システムに関する。
【背景技術】
【０００２】
現在、いわゆる携帯電話端末などのデータ処理装置には、その本体ハウジングの外面に複数種類の交換カバーを交換自在に装着できるようにした製品がある(例えば、特許文献１参照)。
【０００３】
また、データ処理装置である携帯電話端末に、ストロボなどの機能モジュールを交換自在とした提案もある。この場合、機能モジュールの装着によりデータ処理装置に特定の機能が付与される(例えば、特許文献２参照)。
【０００４】
また、電子回路の回路基板を本体ハウジングに内蔵した構造で、製品使用ごとに本体ハウジングを相違させたデータ処理装置もある。さらに、このようなデータ処理装置で、回路基板に搭載された切換スイッチが、第一の本体ハウジングではオフ状態とされて第二の本体ハウジングではオン状態とされる提案もある。
【０００５】
このデータ処理装置では、回路基板が第一の本体ハウジングに搭載されたか第二の本体ハウジングに搭載されたかで切換スイッチがオンオフされ、このオンオフにより回路基板のソフトウェアが切り替えられる。このため、回路基板は共通でも本体ハウジングが相違する製品により、機能するソフトウェアが相違する(例えば、特許文献３参照)。
【特許文献１】実用新案登録第３１０６２７９号
【特許文献２】特開２００３−３３８８５７号
【特許文献３】特開２００２−３３０２０４号
【発明の開示】
【発明が解決しようとする課題】
【０００６】
特許文献１に記載の技術は、データ処理装置に交換カバーを交換自在に装着することで、データ処理装置の外観を変化させることができる。しかし、交換カバーの交換により、データ処理装置の機能を変化させるようなことはできない。
【０００７】
特許文献２に記載の技術は、機能モジュールをデータ処理装置に交換自在に装着することにより、データ処理装置に特有の機能を付与することができる。しかし、これはデータ処理装置に交換カバーではなく機能モジュールを装着するものである。
【０００８】
このため、特定の機能が実装されている複雑な構造の機能モジュールを生産する必要がある。従って、特別な機能が実装されていない交換カバーをデータ処理装置に装着することにより、データ処理装置の機能を変化させるようなことはできない。
【０００９】
特許文献３に記載の技術は、回路基板を搭載する本体ハウジングを変更することで、回路基板の機能を自動的に切り替えることができる。しかし、これはデータ処理装置の組立工程での回路基板の機能切換を自動化するものである。
【００１０】
このため、エンドユーザがデータ処理装置に交換カバーを装着することは考慮されていない。従って、交換カバーの交換により、データ処理装置の機能を変化させるようなことはできない。
【００１１】
本発明は上述のような課題に鑑みてなされたものであり、特別な機能は実装されていない交換カバーをエンドユーザが簡易にデータ処理装置に装着することで、データ処理装置の機能を変化させるようなことができる構造のカバー交換システムを提供するものである。
【課題を解決するための手段】
【００１２】
本発明のカバー交換システムは、データ処理装置と、データ処理装置に交換自在に装着される複数種類の交換カバーと、を有するカバー交換システムであって、交換カバーは、カバーパネルと、カバーパネルに搭載されていて種類ごとのカバーＩＤが記録されている種類記録部と、を有し、データ処理装置は、複数のカバーＩＤごとに機能データを記憶しているデータ記憶部と、交換カバーが着脱自在に装着される本体ハウジングと、装着された交換カバーの種類記録部からカバーＩＤを読み出す種類読出部と、読み出されたカバーＩＤに対応した機能データを読み出すデータ読出部と、読み出された機能データで所定動作を実行する動作実行部と、を有する。
【００１３】
従って、本発明のカバー交換システムでは、データ処理装置の本体ハウジングに交換カバーが装着されると、その交換カバーの種類記録部から種類読出部によりカバーＩＤが読み出される。そのカバーＩＤに対応した機能データがデータ読出部によりデータ記憶部から読み出され、その読み出された機能データにより動作実行部で所定動作が実行される。
【００１４】
本発明のデータ処理装置は、本発明のカバー交換システムのデータ処理装置であって、複数のカバーＩＤごとに機能データを記憶しているデータ記憶部と、交換カバーが着脱自在に装着される本体ハウジングと、装着された交換カバーの種類記録部からカバーＩＤを読み出す種類読出部と、読み出されたカバーＩＤに対応した機能データを読み出すデータ読出部と、読み出された機能データで所定動作を実行する動作実行部と、を有する。
【００１５】
本発明の交換カバーは、本発明のカバー交換システムの交換カバーであって、カバーパネルと、カバーパネルに搭載されていて種類ごとのカバーＩＤが記録されている種類記録部と、を有する。
【００１６】
本発明のダミーカバーは、本発明のカバー交換システムのダミーカバーであって、カバーパネルと、カバーパネルに搭載されていて種類ごとのカバーＩＤが記録されていないダミー記録部と、を有する。
【００１７】
従って、本発明のダミーカバーは、交換カバーと同様にデータ処理装置に装着されるが、データ処理装置に装着されてもカバーＩＤが読み出されて機能データによる所定動作が実行されることがない。
【００１８】
なお、本発明で云う各種の構成要素は、その機能を実現するように形成されていれば良く、例えば、所定の機能を発揮する専用のハードウェア、所定の機能がコンピュータプログラムにより付与されたカバー交換システム、コンピュータプログラムによりカバー交換システムに実現された所定の機能、これらの任意の組み合わせ、等として実現することができる。
【００１９】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２０】
さらに、本発明で云う「データを記憶している」とは、本発明の装置が使用されるときに「データを記憶している」状態にあることを意味している。このため、本発明の装置が出荷されるときにはデータを記憶しておらず、使用される以前にデータを記憶している状態にセットアップされることを許容する。
【００２１】
また、本発明で云う「機能データ」とは、データ処理装置の各種機能の少なくとも一部で利用されるデータであればよい。例えば、データ処理装置が携帯電話端末からなる場合、その待受画像となる画像データ、着信音声となる音楽データ、着信画像となる動画データ、これらの組み合わせ、等でよい。
【発明の効果】
【００２２】
本発明のカバー交換システムでは、データ処理装置の本体ハウジングに交換カバーが装着されると、その交換カバーの種類記録部から種類読出部によりカバーＩＤが読み出され、そのカバーＩＤに対応した機能データがデータ読出部によりデータ記憶部から読み出され、その読み出された機能データにより動作実行部で所定動作が実行されることにより、例えば、特別な機能は実装されていない交換カバーをエンドユーザがデータ処理装置に装着することで、データ処理装置の機能を変化させるようなことができる。
【００２３】
本発明のダミーカバーでは、交換カバーと同様にデータ処理装置に装着されるが、データ処理装置に装着されてもカバーＩＤが読み出されて機能データによる所定動作が実行されないことにより、データ処理装置に交換カバーで固有の機能を発生させることができるとともに、そのような機能を発生させないこともダミーカバーで実現することができる。
【発明を実施するための最良の形態】
【００２４】
本発明の実施の一形態を図面を参照して以下に説明する。本実施の形態のカバー交換システムである携帯電話システム１０００は、図１および図２に示すように、データ処理装置である携帯電話端末１００と、携帯電話端末１００に交換自在に装着される複数種類の交換カバー２００と、を有する。
【００２５】
さらに、本実施の形態の携帯電話システム１０００の交換カバー２００は、カバーパネル２１０と、カバーパネル２１０に搭載されていて種類ごとのカバーＩＤが記録されている種類記録部２２０と、を有する。
【００２６】
本実施の形態の携帯電話端末１００は、交換カバー２００が着脱自在に装着される本体ハウジング１１０と、本体ハウジング１１０に内蔵されていて複数のカバーＩＤごとに機能データを記憶しているデータ記憶部であるメモリ１２０と、本体ハウジング１１０に装着された交換カバー２００の種類記録部２２０からカバーＩＤを読み出す種類読出部１３０と、本体ハウジング１１０に搭載されていて読み出されたカバーＩＤに対応した機能データを読み出すデータ読出部と、本体ハウジング１１０に搭載されていて読み出された機能データで所定動作を実行する動作実行部と、を有する。
【００２７】
より具体的には、本実施の形態の交換カバー２００では、種類記録部２２０は、カバーＩＤごとに極性の方向の組み合わせが相違する二個のマグネット２２１からなる。このため、図３に示すように、本実施の形態の携帯電話システム１０００では、二個のマグネット２２１の二種類の極性の組み合わせにより四種類のカバーＩＤが設定されており、これが四種類の交換カバー２００に個々に付与されている。
【００２８】
さらに、本実施の形態の交換カバー２００では、図２に示すように、カバーパネル２１０が平坦な矩形に形成されており、その裏面四隅に係合爪２１１が形成されている。本実施の形態の携帯電話端末１００では、本体ハウジング１１０が扁平な直方体状に形成されている。
【００２９】
その一面に交換カバー２００が交換自在に装着される矩形のカバー装着部１１１が設定されており、その四隅に係合孔１１２が形成されている。これらの係合孔１１２に係合爪２１１が係脱自在に係合することにより、携帯電話端末１００の本体ハウジング１１０の外面に交換カバー２００が交換自在に装着される。
【００３０】
本実施の形態の携帯電話端末１００では、種類読出部１３０がカバー装着部１１１に配置された二個の磁気センサ１３１Ａ，１３１Ｂからなる。これらの磁気センサ１３１Ａ，１３１Ｂは、カバー装着部１１１に装着された交換カバー２００の二個のマグネット２２１の極性の方向を個々に検知する。
【００３１】
本実施の形態の携帯電話端末１００は、図１に示すように、上述したメモリ１２０と種類読出部１３０の他、ＣＰＵ(Central Processing Unit)１４０を有する制御回路部１４１、キーボードユニット１５１、アンテナを有する無線部１５２、カメラユニット１５３、マイクユニット１５４、スピーカユニット１５５、ディスプレイユニット１５６、等を有する。
【００３２】
これらの各部は本体ハウジング１１０の内部または外面に搭載されている。制御回路部１４１には、上述の各部が接続されている。制御回路部１４１は、コンピュータプログラムが実装されており、接続されている各部を統合制御する。
【００３３】
このため、制御回路部１４１は、本体ハウジング１１０に装着された交換カバー２００の種類記録部２２０から種類読出部１３０によりカバーＩＤが読み出されると、そのカバーＩＤに対応した機能データをメモリ１２０から読み出すデータ読出部として機能する。
【００３４】
なお、このメモリ１２０は、マスクＲＯＭ(Read Only Memory)やフラッシュメモリなどからなり、機能データとして、四つのカバーＩＤごとに画像データが携帯電話端末１００の製造時に登録されている。
【００３５】
制御回路部１４１は、前述のようにカバーＩＤに対応した機能データがメモリ１２０から読み出されると、その画像データを、いわゆる待受画像としてディスプレイユニット１５６に表示出力させる。
【００３６】
このため、本実施の形態の携帯電話端末１００では、制御回路部１４１とディスプレイユニット１５６とが、読み出された機能データで所定動作を実行する動作実行部として機能する。
【００３７】
上述のような構成において、本実施の形態の携帯電話システム１０００では、携帯電話端末１００は、メモリ１２０に四つのカバーＩＤごとに画像データが記録され、標準の一枚の交換カバー２００が装着された状態で出荷される。
【００３８】
この標準の交換カバー２００のカバーＩＤに対応した画像データは「なし」とされている。このため、携帯電話端末１００は、出荷された状態では、ディスプレイユニット１５６には表示出力される待受画像は「白紙」の状態となっている。
【００３９】
標準以外の三種類の交換カバー２００が、オプション部品として別個に販売される。このような交換カバー２００は、携帯電話端末１００の外観を変更するものである。このため、例えば、図３に示すように、「植物」などのテーマで図柄が表記されている。
【００４０】
そこで、利用者は所望の交換カバー２００を購入して携帯電話端末１００に装着することができる。すると、この携帯電話端末１００では、その交換カバー２００のカバーＩＤが読み出され、そのカバーＩＤに対応した画像データがメモリ１２０から読み出される。
【００４１】
そして、図４に示すように、その画像データが待受画像としてディスプレイユニット１５６に表示出力される。その画像データは、交換カバー２００の図柄とテーマが共通している。
【００４２】
つまり、本実施の形態の携帯電話システム１０００では、利用者が所望のテーマの図柄の交換カバー２００を携帯電話端末１００に装着すると、そのテーマの画像データがディスプレイユニット１５６に待受画像として表示出力される。
【００４３】
従って、本実施の形態の携帯電話システム１０００では、特別な機能は実装されていない交換カバー２００を利用者が簡易に携帯電話端末１００に装着することで、交換カバー２００による携帯電話端末１００の外観変更と同時に、その外観に対応した待受画像を自動的に提供することができる。
【００４４】
しかも、本実施の形態の交換カバー２００では、種類記録部２２０がカバーＩＤごとに極性の方向の組み合わせが相違する複数のマグネット２２１からなる。このため、交換カバー２００に簡単な構造で複数のカバーＩＤを記録しておくことができる。
【００４５】
さらに、本実施の形態の携帯電話端末１００では、種類読出部１３０が交換カバー２００の複数のマグネット２２１の極性の方向を個々に検知する複数の磁気センサ１３１Ａ，１３１Ｂを有する。このため、簡単な構造で非接触にカバーＩＤを読み出すことができる。
【００４６】
なお、本発明は本実施の形態に限定されるものではなく、その要旨を逸脱しない範囲で各種の変形を許容する。例えば、上記形態ではカバーＩＤに対応した機能データが静止画の画像データからなることを例示した。
【００４７】
しかし、機能データが、動画の画像データ、音楽の音声データ、これらの組み合わせ、等であってもよい。その場合、無線部１５２により着信要求が無線受信されると、機能データの動画の画像データをディスプレイユニット１５６に表示出力させるとともに、機能データの音楽の音声データをスピーカユニット１５５に音声出力させるようなことができる。
【００４８】
さらに、上記形態では機能データがカバーＩＤと一対一の関係にあることを例示した。しかし、その機能データがカバーＩＤと一対多の関係にあってもよい。その場合、利用者が所望の交換カバー２００を携帯電話端末１００に装着すると、例えば、その交換カバー２００に対応した複数の画像データが利用可能となる。その場合、利用者は、交換カバー２００の共通のテーマの複数の画像データを、所望により選択して待受画像とするようなことができる。
【００４９】
また、上記形態では機能データが携帯電話端末１００に固定的に登録されていることを例示した。しかし、携帯電話端末１００に定期的に新規の機能データが無線配信されても良い。
【００５０】
その場合、携帯電話端末１００の機能データは定期的に更新されるが、その更新される機能データは、交換カバー２００を購入して携帯電話端末１００に装着している利用者のみ利用できることになる。
【００５１】
さらに、上記形態では携帯電話端末１００に一個の交換カバー２００が装着されることを例示した。しかし、複数の交換カバーが装着され、その装着の個数と組み合わせに対応して記録データが選定されてもよい。
【００５２】
また、上記形態では一種類の携帯電話端末１００に複数種類の交換カバー２００が装着されることを例示した。しかし、複数種類の交換カバー２００が複数種類の携帯電話端末１００に装着されてもよい。その場合、その交換カバー２００の種類に対応した機能データを、携帯電話端末１００の種類ごとに相違させておくことができる。
【００５３】
さらに、上記形態では交換カバー２００の種類記録部２２０がマグネット２２１からなり、携帯電話端末１００の種類読出部１３０が磁気センサ１３１Ａ，１３１Ｂからなることを例示した。
【００５４】
しかし、交換カバーの種類記録部が、例えば、バーコード、磁気ストライプ、等からなり、携帯電話端末の種類読出部が、ラインスキャナ、磁気リーダ、等からなる構成でもよい(図示せず)。
【００５５】
また、上記形態では係合爪２１１と係合孔１１２との係合により交換カバー２００が携帯電話端末１００に装着されることを例示した。しかし、このように交換カバー２００を携帯電話端末１００に着脱自在に装着させる構造も各種に変更可能である。
【００５６】
例えば、上記形態では交換カバー２００にカバーＩＤをマグネット２２１で記録しておくことを例示した。そこで、このマグネット２２１が磁気吸着される金属部分を携帯電話端末に形成しておくことにより(図示せず)、カバーＩＤが記録されているマグネット２２１で交換カバー２００を携帯電話端末に装着させることが可能となる。
【００５７】
さらに、交換カバーの外周部に多数の係合爪を所定ピッチで形成しておき、例えば、その多数の係合爪を部分的に欠落させることで、カバーＩＤを記録しておくようなこともできる(図示せず)。
【００５８】
この場合、携帯電話端末は係合爪を光学スキャナや多数のマイクロスイッチなどで個々に検知することによりカバーＩＤを読み出すことができ、このようにカバーＩＤを伝達する機構で交換カバーを携帯電話端末に装着させることができる。
【００５９】
また、上記形態では交換カバー２００に二個のマグネット２２１で四種類のカバーＩＤが記録されていることを例示した。しかし、そのマグネット２２１やカバーＩＤの個数は任意に設定することができる。
【００６０】
特に、上記形態では複数種類の交換カバー２００の全部に二個のマグネット２２１からなる種類記録部２２０が搭載されていることを例示した。しかし、複数種類の交換カバーの一部のみ種類記録部が搭載されていてもよい(図示せず)。この場合、種類記録部が搭載されていない交換カバーでは、携帯電話端末１００の外観のみ変更することができる。
【００６１】
さらに、図５に示すように、このように種類記録部が搭載されていない交換カバーをダミーカバー３００としてもよい。このダミーカバー３００は、カバーパネル２１０と、カバーパネル２１０に搭載されていて種類ごとのカバーＩＤが記録されていないダミー記録部３１０と、を有する。
【００６２】
そして、このダミーカバー３００のダミー記録部３１０は、交換カバー２００の種類記録部２２０と重量および外形が同等である。例えば、種類記録部２２０がマグネット２２１からなる場合、ダミー記録部３１０は、磁化されない金属や樹脂などで形成することができる。
【００６３】
このようなダミーカバー３００は、交換カバー２００と同様に携帯電話端末１００に装着されるが、携帯電話端末１００に装着されてもカバーＩＤが読み出されて機能データによる所定動作が実行されない。
【００６４】
このため、携帯電話端末１００に交換カバー２００で固有の機能を発生させることができるとともに、そのような機能を発生させないこともダミーカバー３００で実現することができる。
【００６５】
しかも、ダミーカバー３００は交換カバー２００と重量および外形が同等なので、利用者に違和感を与えることがない。特に、カバーＩＤが記録されていない交換カバーが、搭載されている交換カバー２００より軽量となることがないので、その重量差により交換カバー２００が敬遠されることを防止できる。
【００６６】
また、上記形態では交換カバー２００が交換自在に装着されるデータ処理装置が携帯電話端末１００からなることを例示した。しかし、このようなデータ処理装置が、ＰＤＡ(Personal Digital Assistance)、携帯型コンピュータ、携帯オーディオ、デジタルカメラ、据置型コンピュータ、等であってもよい。
【図面の簡単な説明】
【００６７】
【図１】本発明の実施の形態の携帯電話システムの回路構造を示すブロック図である。
【図２】データ処理装置である携帯電話端末と交換カバーとの着脱構造を示す模式的な分解斜視図である。
【図３】記録データの記録構造を示す模式図である。
【図４】交換カバーが携帯電話端末に装着された状態を示す模式図である。
【図５】交換カバーとダミーカバーとの構造を示す模式図である。
【符号の説明】
【００６８】
１００    携帯電話端末
１１０    本体ハウジング
１１１    カバー装着部
１１２    係合孔
１２０    メモリ
１３０    種類読出部
１３１Ａ，１３１Ｂ    磁気センサ
１４０    ＣＰＵ
１４１    制御回路部
１５１    キーボードユニット
１５２    無線部
１５３    カメラユニット
１５４    マイクユニット
１５５    スピーカユニット
１５６    ディスプレイユニット
２００    交換カバー
２１０    カバーパネル
２１１    係合爪
２２０    種類記録部
２２１    マグネット
３００    ダミーカバー
３１０    ダミー記録部
１０００    携帯電話システム
【図１】
2008005301.tif 000003
【図２】
2008005301.tif 000004
【図３】
2008005301.tif 000005
【図４】
2008005301.tif 000006
【図５】
2008005301.tif 000007